(57)【要約】【課題】  本発明は、ユーザが大きさの調整をしなくても、バランス良く貼付データを貼付先の画像データに貼付する画像処理装置を提供することを目的とする。【解決手段】本発明の画像処理装置は、貼付先の画像データと貼付元の画像データを指定する画像データ指定手段と、指定された上記２つの画像データの表示サイズを認識する認識手段と、上記貼付元の画像データから貼付対象となる貼付データを指定する貼付データ指定手段と、認識された貼付先及び貼付元の画像データの表示サイズに基いた拡大率で上記貼付データを拡大する拡大処理手段と、拡大された貼付データを上記貼付先の画像データに貼付する貼付手段とを備える。【選択図】  図２
2007067971.tif 000002
【特許請求の範囲】
【請求項１】
貼付先の画像データと貼付元の画像データを指定する画像データ指定手段と、
指定された上記２つの画像データの表示サイズを認識する認識手段と、
上記貼付元の画像データから貼付対象となる貼付データを指定する貼付データ指定手段と、
認識された貼付先及び貼付元の画像データの表示サイズに基いた拡大率で上記貼付データを拡大する拡大処理手段と、
拡大された貼付データを上記貼付先の画像データに貼付する貼付手段とを備えたことを特徴とする画像処理装置。
【請求項２】
上記貼付元の画像データのファクシミリ送信される際の許容画質を決定する許容画質決定手段と、
ファクシミリ送信される画像データの解像度を決定する解像度決定手段と、
決定された解像度と上記拡大率とに基いて、上記貼付データのファクシミリ送信時の画質が、貼付元の画像データの許容画質以上であるか否かを判断する判断手段と、
許容画質以上であるとの判断があると、上記貼付データが貼付された貼付先の画像データをファクシミリ送信する送信手段を備えたことを特徴とする請求項１に記載の画像処理装置。
【発明の詳細な説明】
【技術分野】
【０００１】
本発明は、画像データを他の画像データに貼付する機能を備えた画像処理装置に関する。
【背景技術】
【０００２】
近年、画像データをパソコン上で編集する描画ソフトが普及している。描画ソフトは、ある画像データの全部又は一部を他の画像データに貼付する画像処理をすることができる。画像データの貼付は、画像データをモニタに表示し、表示された画像データから貼付対象となるパーツなどの貼付データをマウス等で指定して、ドラックアンドドロップで貼付データを他の画像データ上に移動させることで行うことができる。
【０００３】
描画ソフトでの画像データの貼付は、貼付データや貼付先の画像データの表示上或いは印刷時の大きさに関係なく、貼付データの大きさを変えることなく行われる。そのため、貼付データが貼付先の画像データよりも大きい場合、モニタ上では、貼付データが貼付先の画像データからはみ出して表示されたり、貼付データが貼付先の画像データより小さい場合、貼付データが貼付先の画像データに含まれる文字や図に比べて極端に小さく表示されたりすることがある。また、印刷した場合も同様に、貼付データが貼付先の画像データよりも大きい場合、貼付データが貼付先の画像データからはみ出して印刷されたり、貼付データが貼付先の画像データよりも小さい場合、貼付データが貼付先の画像データに含まれる文字や図に比べて極端に小さく印刷されたりすることがある。
【０００４】
このような不具合を解消するために、貼付を行った後に、ユーザ自身が、貼付データと貼付先の画像データの表示上または印刷時の大きさを考慮して、貼付データの表示上または印刷時の大きさを調整している。
【特許文献１】特開平５−６８１６１号公報
【発明の開示】
【発明が解決しようとする課題】
【０００５】
上記したように、従来ではユーザが画像データの表示上または印刷時の大きさを調整しなければならず、画像データの貼付がユーザにとって手間が掛かる作業であった。
【０００６】
そこで本発明は、ユーザが大きさの調整をしなくても、バランス良く貼付データを貼付先の画像データに貼付する画像処理装置を提供することを目的とする。
【課題を解決するための手段】
【０００７】
本発明の画像処理装置は、貼付先の画像データと貼付元の画像データを指定する画像データ指定手段と、上記貼付元の画像データから貼付対象となる貼付データを指定する貼付データ指定手段を備える。また、本発明の画像処理装置は、バランス良く画像データの貼付を行うことができるように、貼付元及び貼付先の画像データの表示サイズを認識する認識手段と、認識された表示サイズに基いた拡大率で上記貼付データを拡大する拡大処理手段を備える。表示サイズとは、印刷した時に表示される大きさやモニタ上に表示されたときの大きさである。
【０００８】
上記拡大率には、例えば、貼付元と貼付先の画像データの表示サイズの比に基いたものを用いることができる。例えば、貼付元の画像データの表示サイズが貼付先の画像データの表示サイズの２倍である場合は、拡大率を２００％とする。
【０００９】
貼付元と貼付先の画像データの表示サイズの比に基いた拡大率を用いると、貼付先の画像データ全体に対する貼付データの大きさを、貼付元の画像データ全体に対する貼付データの大きさと同じにすることができる。
【００１０】
本発明の画像処理装置は、貼付データが貼付された貼付先の画像データをファクシミリ送信したり印刷したりすることができる。ファクシミリ送信は、通常６００ｄｐｉ（dot per inch）や２００ｄｐｉなどに対応する形式に画像データを変換して行なわれる。そのため、貼付データが高解像度の画像データである場合、貼付データが貼付された貼付先の画像データがファクシミリ送信されるときに、貼付データを構成する画素が間引かれたりすることがある。
【００１１】
拡大されたり、画素が間引かれたりすると、画像データは粗くなるので、貼付データは、ファクシミリ送信される際には、拡大処理手段にて拡大され且つ画素が間引かれたりして粗くなり受信側のユーザが読み取れなくなる場合がある。
【００１２】
そこで、各画像データのファクシミリ送信される際の許容画質を決定し、ファクシミリ送信の際に、貼付データがこの許容画質を満たさない場合は、ファクシミリ送信をしないようにしてもよい。貼付データが許容画質を満たすか否かは、ファクシミリ送信における送信する画像データの解像度と、上記拡大処理手段の行う拡大処理の拡大率とに基いて判断する。
【発明の効果】
【００１３】
本発明によれば、ユーザが大きさの調整をしなくても、バランス良く貼付対象の画像データを貼付先の画像データに貼り付ける画像処理装置を提供することができる。
【発明を実施するための最良の形態】
【００１４】
本発明の画像処理装置１００は、本実施の形態では、印刷、スキャナ機能、ファクシミリ通信機能等を備えた複合機に適用されている。
【００１５】
図１に示すように、画像形成装置１００は、本体１０１と、本体１０１の上方に取り付けられたプランカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００１６】
自動原稿給紙装置１０４は、プラテンカバー１０２の内部に形成された原稿搬送路１０８と、プラテンカバー１０２の内部に備えられたピックアップローラ１０６や搬送ローラ１０７等で構成されている。原稿搬送路１０８は、載置台１０５から、本体１０１に設けられた読取部１１０にて読み取りが行なわれる読取位置Ｐを経由して、排紙台１０９に通じる原稿の搬送路である。
【００１７】
自動原稿給紙装置１０４は、載置台１０５に載置された原稿１枚ずつをピックアップローラ１０６で搬送路内１０８に引き込み、引き込んだ原稿を読取位置Ｐを通過させて排紙台１０９に排紙する。読取位置Ｐを通過する時に原稿は読取部１１０にて読み取られる。
【００１８】
読取部１１０は、原稿台１０３の下方に設けられている。読取部１１０は、原稿台１０３を照射する主走査方向に長い光源１１１と、原稿台１０３からの光を導くミラー１１２、１１３、１１４と、ミラー１１２、１１３、１１４で導かれた光を撮像する撮像素子１１５とで構成されている。
【００１９】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は受光した光を撮像することで原稿の画像データを生成する。
【００２０】
読取部１１０は、自動原稿給紙装置１０４で搬送される原稿だけでなく、原稿台１０３に載置された原稿も読み取ることが可能となっている。原稿台１０３に載置された原稿を読み取る場合は、読取部１１０は、光源１１１を発光させながら副走査方向に移動させて、原稿台１０３の全体を照射する。原稿台１０３からの反射光を撮像素子１１５に導くために、ミラー１１２は光源１１１と共に移動し、光源１１１から撮像素子１１５までの光路長を一定にするために、ミラー１１３、１１４は光源１１１及びミラー１１２の１/２の速度で移動する。撮像素子１１５は、自動原稿給紙装置１０４に搬送された原稿のときと同じように、ミラー１１２、１１３、１１４に導かれた光に基づいて原稿台１０３に載置された原稿の画像データを生成する。
【００２１】
本体１０１の読取部１１０の下方には、画像データを印刷する印刷部１２０が備えられている。印刷部１２０の行う印刷方式には、電子写真方式が採用されており、印刷部１２０は、感光ドラム１２１、帯電器１２２、露光器１２３、現像器１２４、転写ローラ１２５等によって構成されている。印刷部１２０の印刷には、印刷部１２０の下方に設けられた給紙カセット１３２、１３３、１３４に格納された用紙や、本体１１０側面に設けられた手差トレイ１３１に載置された用紙が用いられる。印刷部１２０にて画像が印刷された用紙は、定着ローラ１２９と加圧ローラ１２８の間を通って排紙トレイ１３５に排紙される。
【００２２】
画像処理装置１００は、図２に示すように、ファクシミリ通信を行う通信制御手段２０２を備える。通信制御手段２０２は、画像データ記憶手段２０１に記憶された画像データをファクシミリ送信したり、ファクシミリ受信した画像データを印刷部１２０を用いて印刷したり画像データ記憶手段２０１に記憶させたりする。
【００２３】
画像データ記憶手段２０１には、ファクシミリ受信された画像データや、上記読取部１１０によって生成された画像データや、画像処理装置とＬＡＮ（Local Area Network）で接続されたパソコンなどの端末１９０から送信された画像データなどが記憶される。
【００２４】
画像データ記憶手段２０１に記憶された画像データは、ファクシミリ送信される際に最低限維持しなければならない許容画質が対応付けられている。本実施の形態では、許容画質には高画質と低画質の２段階ある。画像データに対応付けられる許容画質は、デフォルトでは低画質となっている。許容画質は次の操作をユーザが行うことで変更することができる。
【００２５】
許容画質を変更する場合、まず、ユーザは、本体１０１の上部に設けられた操作部１４０（図１参照）を構成する操作パネル１５０の初期画面（図３参照）に表示された許容画質キー１５１を押下する。許容画質キー１５１が押下されると、許容画質決定手段２１０は、画像データ選択画面（図４参照）を操作パネル１５０に表示する。画像データ選択画面は、画像データ記憶手段２０１に記憶された全画像データのファイル名が表示される。
【００２６】
ユーザは、画像データ選択画面が表示されると、許容画質を変更する画像データのファイル名を選択する。このファイル名の選択は、許容画質を変更するファイル名が表示された領域を指でタッチして、操作パネル１５０に隣接して設けられたハードキーで構成されたスタートキー１４２を押下することで行う。
【００２７】
許容画質決定手段２１０は、ファイル名が指定されると、ファイル名が指定された画像データを画像データ記憶手段２０１から取得し、図５に示すように、取得した画像データ５０１と、高画質キー５０２、低画質キー５０３を操作パネル１５０に表示する。許容画質決定手段２１０は、高画質キー５０２が押下されると、画像データ５０１を許容画質の高画質に対応した画質で表示し、低画質キー５０３が押下されると、許容画質の低画質に対応した画質で表示する。
【００２８】
図５に示す画面が表示されると、ユーザは、高画質キー５０２や低画質キー５０３を押下して所望する許容画質に対応する画質で画像データを表示させてスタートキー１４２を押下する。
【００２９】
許容画質決定手段２１０は、高画質で画像データを表示した状態でスタートキー１４２が押下されると、ファイル名が指定された画像データに対応付けられた許容画質を高画質に変更し、低画質で画像データを表示した状態でスタートキー１４２が押下されると、ファイル名が指定された画像データに対応付けられた許容画質を低画質に変更する。
【００３０】
本実施の形態の画像処理装置１００は、画像データ記憶手段２０１に記憶された１つの画像データ（貼付元の画像データ）の一部または全部を他の画像（貼付先の画像データ）に貼付する画像処理を行うことができる。貼付の画像処理をする場合は、まずユーザは、操作パネル１５０の初期画面（図３参照）に表示された画像処理キー１５２を押下する。
【００３１】
画像処理キー１５２が押下されると、画像データ指定手段２０３は、画像データ記憶手段２０１に記憶された画像データから、貼付元の画像データと貼付先の画像データをユーザに選択させるための画像データ選択画面（図６参照）を操作パネル１５０に表示する。図６に示す画像データ選択画面には、ファイル名一覧ウインドウ６０１、貼付元キー６０２、貼付先キー６０３、貼付元画像データと貼付先画像データのファイル名を表示する表示欄６０４、６０５が表示される。ファイル名一覧ウインドウ６０１には、画像データ記憶手段２０１に記憶された全画像データのファイル名が表示される。
【００３２】
ユーザは、図６に示す画像データ選択画面が表示されると、貼付元及び貼付先の画像データを指定する（図１１、Ｓ１０１）。貼付元の画像データの指定は、貼付元キー６０２を押下して、ファイル名一覧ウインドウ６０１に表示されたファイル名から貼付元の画像データのファイル名が表示された領域を指でタッチすることで行うことができる。貼付先の画像データの指定は、貼付先キー６０３を押下して、貼付元の画像データの指定と同様に貼付先の画像データのファイル名が表示された領域を指でタッチすることで行うことができる。
【００３３】
画像データ指定手段２０３は、貼付元キー６０２が押下された後に表示された領域がタッチされたファイル名を貼付元の画像データのファイル名と認識し、貼付先キー６０３が押下された後に表示された領域がタッチされたファイル名を貼付先の画像データのファイル名と認識する。画像データ指定手段２０３は、認識した貼付元及び貼付先の画像データのファイル名を表示欄６０４、６０５に表示する。
【００３４】
表示欄６０４、６０５にファイル名が表示されると、ユーザは、スタートキー１４２を押下する。スタートキー１４２が押下されると、画像データ指定手段２０３は、貼付元及び貼付先の画像データと、貼付元の画像データの許容画質を画像データ記憶手段２０１から取得する。画像データ指定手段２０３は、貼付元及び貼付先の画像データを認識手段２０４及び拡大処理手段２０５に入力し、貼付元の画像データの許容画質と貼付先の画像データを貼付手段２０７に入力する。
【００３５】
認識手段２０４は、貼付元及び貼付先の画像データが入力されると、それぞれの画像データを印刷したときの大きさ（以下、表示サイズという）を認識する（図１１、Ｓ１０２）。ここでは、貼付元の画像データの表示サイズはＡ４とし、貼付先の画像データの表示サイズはＢ５であるとする。貼付元及び貼付先の画像データの表示サイズを認識すると、認識手段２０４は、貼付元及び貼付先の画像データの表示サイズを拡大処理手段２０５に入力する。
【００３６】
拡大処理手段２０５は、貼付元及び貼付先の画像データが画像データ指定手段２０３から入力され、貼付元及び貼付先の画像データの表示サイズが認識手段２０４から入力されると、貼付元の画像データに対する貼付先の画像データの表示サイズ比を算出する（図１１、Ｓ１０３）。本実施の形態では、貼付元の画像データの表示サイズがＡ４であり、貼付先の画像データの表示サイズがＢ５であるので、表示サイズ比は８７％となる。
【００３７】
拡大処理手段２０５は、表示サイズ比を算出すると、貼付実行画面（図７参照）を操作パネル１５０に表示する。貼付実行画面は、図７に示すように、貼付元の画像データ７０１及び貼付先の画像データ７０２と、貼付元の画像データのうち貼付先の画像データに貼付される貼付領域の範囲を示すパラメータＡ、Ｂ、Ｃ、Ｄと、貼付領域に含まれる画像データ（以下、貼付データという）を貼付する貼付先の画像データ上の位置（以下、貼付位置という）を示すパラメータＥ、Ｆと、拡大率７０５が表示される。
【００３８】
パラメータＡ、Ｂ、Ｃ、Ｄ、Ｅ、Ｆは、デフォルトでは０となっている。パラメータＡ、Ｂ、Ｃ、Ｄは、貼付領域の左端、右端、上端、下端の位置を表わしている。また、パラメータＥ、Ｆは、貼付先の画像データの上下方向及び左右方向の位置を表わしている。拡大率７０５は、上記で算出した表示サイズ比である。
【００３９】
ユーザは、パラメータＡ、Ｂ、Ｃ、Ｄ、Ｅ、Ｆを変更して、貼付領域や貼付位置の変更をすることができる。パラメータを変更する場合、ユーザは、変更したいパラメータが表示された領域を指でタッチして、テンキー１４１で数値を入力してスタートキー１４２を押下する。
【００４０】
パラメータＡ、Ｂ、Ｃ、Ｄの何れかが表示された領域がタッチされると、貼付データ指定手段２０６が起動し、貼付データ指定手段２０６は、タッチされた領域に表示されたパラメータと、テンキー１４１で入力された数値を記憶し、スタートキー１４２が押下されると、記憶したパラメータをテンキー１４１で入力された数値に変更する。パラメータＥ、Ｆの何れかが表示された領域がタッチされると、貼付位置指定手段２０９が起動し、貼付位置指定手段２０９は、タッチされた領域に表示されたパラメータと、テンキー１４１で入力された数値を記憶し、スタートキー１４２が押下されると、記憶したパラメータをテンキー１４１で入力された数値に変更する。
【００４１】
パラメータＡ、Ｂ、Ｃ、Ｄがデフォルトから変更されると、貼付データ指定手段２０６は、パラメータＡ、Ｂ、Ｃ、Ｄで特定される貼付領域７１１を貼付元の画像データ７０１上に表示する。また、パラメータＥ、Ｆがデフォルトから変更されると、貼付位置指定手段２０９は、パラメータＥ、Ｆで特定される貼付位置７１２を貼付先の画像データ７０２上に表示する。
【００４２】
ユーザは、所望の貼付領域７１１と貼付位置７１２が特定されるようにパラメータＡ、Ｂ、Ｃ、Ｄを変更すると、スタートキー１４２を押下する（図１１、Ｓ１０４）。
【００４３】
スタートキー１４２が押下されると、貼付データ指定手段２０６は、パラメータＡ、Ｂ、Ｃ、Ｄで特定される貼付領域７１１を拡大処理手段２０５に通知し、貼付位置指定手段２０９は、パラメータＥ、Ｆで特定される貼付位置７１２を貼付手段２０７に通知する。拡大処理手段２０５は、貼付領域７１１が通知されると、貼付元の画像データから通知された貼付領域７１１に含まれる貼付データを抽出し、貼付データを貼付実行画面に表示された拡大率７０５で拡大する（図１１、Ｓ１０５）。拡大処理手段２０５は、画像データを拡大すると、拡大した貼付データと拡大率７０５を貼付手段２０７に入力する。
【００４４】
貼付データが入力されると、貼付手段２０７は、貼付データの代表点（ここでは、図７に示す左上点７１３）が貼付先の画像データの貼付位置７１２に貼付されるように、貼付データを貼付先の画像データに貼付する（図１１、Ｓ１０６）。
【００４５】
このように本実施の形態の画像処理装置１００では、貼付元及び貼付先の画像データの表示サイズに基いて拡大処理がなされるので、ユーザが拡大処理をしなくても、貼付先の画像データの表示サイズに応じた大きさで貼付データが貼付される。
【００４６】
画像データの貼付が行われると出力手段２１１は、操作パネル１５０に貼付先の画像データをファクシミリ送信するのか、印刷するのか、画像データ記憶手段２０１に保存するのかをユーザに選択させる処理選択画面を表示する（図８参照）。
【００４７】
例えば、ファクシミリ送信する場合、ユーザは、処理選択画面に表示されたファクシミリ送信キー８０１を押下する。ファクシミリ送信キー８０１が押下されると、出力手段２１１は、貼付先の画像データと、貼付元の画像データの許容画質と、拡大率を貼付手段２０７から取得して通信制御手段２０２に入力する（図１２、Ｓ２０１）。
【００４８】
通信制御手段２０２は、貼付先の画像データと、貼付元の画像データの許容画質と、拡大率が入力されると、ＦＡＸ番号の入力を促す画面（図９参照）を操作パネル１５０に表示する。ユーザは、ＦＡＸ番号の入力を促す画面が表示されると、テンキー１４１を用いてＦＡＸ番号を入力し、スタートキー１４２を押下する（図１２、Ｓ２０２）。
【００４９】
通信制御手段２０２は、スタートキー１４２が押下されると、入力されたＦＡＸ番号の通信相手との回線を確立する。通信制御手段２０２は、回線の確立の際に、ファクシミリ通信のプロトコルに沿って、通信相手からの要求に従ってファクシミリ送信する際の画像データの解像度を決定する（図１２、Ｓ２０３）。本実施の形態では、通信相手から要求される解像度は２００ｄｐｉと６００ｄｐｉの２種類とする。
【００５０】
解像度を決定すると、通信制御手段２０２は、出力手段２１１から入力された許容画質が低画質である場合は、回線が確立されると、決定した解像度に対応する形式に貼付先の画像データを変換してファクシミリ送信する（図１２、Ｓ２０４→Ｓ２０９）。一方、許容画質が高画質である場合は、通信制御手段２０２は、決定した解像度と許容画質と拡大率を判断手段２０８に入力する。判断手段２０８は、解像度と許容画質と拡大率が入力されると、解像度と拡大率に基いて、画像データが送信される際の画質が許容画質を満たすか否かを判断する（図１２、Ｓ２０４→Ｓ２０５）。
【００５１】
判断手段２０８は、図１０に示すように、判断テーブル１００１を保持しており、入力された解像度と拡大率が判断テーブル１００１に記述された条件を満たす場合は、許容画質を満たすと判断する。すなわち、解像度２００ｄｐｉの場合は拡大率が２００％以下、解像度が６００ｄｐｉの場合は拡大率が６００％以下である場合、判断手段２０８は、許容画質を満たすと判断する。
【００５２】
許容画質を満たすと判断すると、判断手段２０８は、通信制御手段２０２に送信許可を出す（図１２、Ｓ２０６）。送信許可があると、通信制御手段２０２は、許容画質が低画質の場合と同様に、決定された解像度に対応する形式に貼付先の画像データを変換してファクシミリ送信する（図１２、Ｓ２０９）。
【００５３】
許容画質を満たさないと判断すると、判断手段２０８は、操作パネル１５０に許容画質を満たさない旨を表示すると共に、許容画質を満たさないけれども送信するかどうかをユーザに問合わせる旨を表示する。ユーザは、この問合せの旨の表示があると、許容画質を満たさない画質で送信するか否かを操作パネル１５０に入力する（図１２、Ｓ２０７）。送信することが入力されると、判断手段２０８は、送信許可を通信制御手段２０２に出し、通信制御手段２０２は、送信許可があると、上記したように貼付先の画像データをファクシミリ送信する（図１２、Ｓ２０６→Ｓ２０９）。
【００５４】
一方、送信しないことが入力されると、判断手段２０８は、通信制御手段２０２に送信中止指示を出し、通信制御手段２０２は、送信中止指示があると、貼付先の画像データをファクシミリ送信しない（図１２、Ｓ２０８）。
【００５５】
以上のように、貼付元の画像データの許容画質が高画質となっている場合、許容画質を満たさないとの判断があると、許容画質を満たさなくても送信する旨をユーザが入力しない限りファクシミリ送信が行なわれない。そのため、貼付元の画像データを高画質に変更しておくと、貼付時の拡大処理や、ファクシミリ送信時の解像度に対応した形式への変換によって貼付データの画質が劣化した場合、劣化した貼付データがユーザの知らない間にファクシミリ送信されてしまうことを防ぐことができる。
【００５６】
図８に示す処理選択画面で印刷キー８０２が押下された場合、出力手段２１１は、貼付先の画像データを貼付手段２０７から取得して、印刷部１２０を用いて印刷する。
【００５７】
図８に示す処理選択画面でファクシミリ送信キー８０１や印刷キー８０２が押下されると、出力手段２１１は、貼付先の画像データを通信制御手段２０２に入力したり印刷したりすると共に、画像データ記憶手段２０１に保存させる。画像データ記憶手段２０１には、貼付データが貼付される前の貼付先の画像データが保存されているので、出力手段２１１は、ファクシミリ送信キー８０１や印刷キー８０２が押下されると、貼付先の画像データを上書き保存するか、別の画像データとして保存するかをユーザに問合せる画面を操作パネル１５０に表示する。出力手段２１１は、上書き保存する旨をユーザが選択した場合は貼付先の画像データを上書き保存し、別の画像データとして保存する旨をユーザが選択した場合は貼付先の画像データを別の画像データとして保存する。
【００５８】
また、図８に示す処理選択画面で保存キー８０３が押下された場合は、出力手段２１１は、貼付先の画像データを通信制御手段２０２に入力したり印刷したりすること無く、ファクシミリ送信キー８０１や印刷キー８０２が押下された場合と同様の保存処理のみを行う。
【００５９】
また、本実施の形態の通信制御手段は、上記のようにファクシミリ送信される画像データの解像度の決定と、ファクシミリ送信を行なうので、解像度決定手段及び送信手段として機能する。
【図面の簡単な説明】
【００６０】
【図１】本実施の形態の画像処理装置の概略構成図。
【図２】本実施の形態の画像処理装置の機能ブロック図。
【図３】初期画面が表示パネルに表示されているときの操作部の模式図。
【図４】画像データ選択画面が操作パネルに表示されているときの操作部の模式図。
【図５】操作部の模式図。
【図６】画像データ選択画面が操作パネルに表示されているときの操作部の模式図。
【図７】貼付実行画面の模式図。
【図８】処理選択画面が操作パネルに表示されているときの操作部の模式図。
【図９】操作部の模式図。
【図１０】判断テーブルの概念図。
【図１１】貼付の画像処理の手順を示すフローチャート。
【図１２】ファクシミリ送信の手順を示すフローチャート。
【符号の説明】
【００６１】
１００  画像処理装置
１１０  読取部
１２０  印刷部
２０１  画像データ記憶手段
２０２  通信制御手段
２０３  画像データ指定手段
２０４  認識手段
２０５  拡大処理手段
２０６  貼付データ指定手段
２０７  貼付手段
２０８  判断手段
２０９  貼付位置指定手段
２１０  許容画質決定手段
２１１  出力手段
【図１】
2007067971.tif 000003
【図２】
2007067971.tif 000004
【図３】
2007067971.tif 000005
【図４】
2007067971.tif 000006
【図５】
2007067971.tif 000007
【図６】
2007067971.tif 000008
【図７】
2007067971.tif 000009
【図８】
2007067971.tif 000010
【図９】
2007067971.tif 000011
【図１０】
2007067971.tif 000012
【図１１】
2007067971.tif 000013
【図１２】
2007067971.tif 000014